(57)【要約】【課題】焼付きを抑制することの可能な表示方法を提供する。【解決手段】スピードメータ画像Ｇを、１フレーム毎に１カラー画素ずつ、走査線方向及びデータ線方向に沿ってずらして表示するようにした。また、８個のカラー画素分だけずらした後に、再び元の位置に至るまで１フレーム毎に１カラー画素ずつずらして表示するようにした。従って、スピードメータ画像Ｇを構成する数値、指針及びその基端部の表示に発光することで寄与するカラー画素の位置では、その周囲のカラー画素群との所定時間内における輝度差の平均値が小さくなる。【選択図】図６
2007279105.tif 000002
【特許請求の範囲】
【請求項１】
基板上に、複数の走査線と複数のデータ線とを形成するとともに前記各走査線と前記各デ
ータ線との交差に対応した位置に発光素子を含む複数個の画素をマトリクス状に配置して
画素形成領域を形成し、画像データに基づいて前記画素形成領域内の各画素を適宜駆動さ
せて画像を表示するようにした表示装置の表示方法であって、
前記画像の表示エリアを、前記画素形成領域の範囲内で、予め定めた表示時間ごとに遷
移させ、その遷移した表示エリアに前記画像を表示するようにしたことを特徴とする表示
方法。
【請求項２】
請求項１に記載の表示装置の表示方法において、
前記画像は、静止画像を含んでいることを特徴とする表示装置の表示方法。
【請求項３】
請求項１または２に記載の表示装置の表示方法において、
前記画像の表示エリアは、前記走査線方向及びデータ線方向に沿って所定ピッチずつず
らして表示するようにしたことを特徴とする表示方法。
【請求項４】
請求項１〜３のいずれか一つに記載の表示装置の表示方法において、
前記発光素子は、エレクトロルミネッセンス素子であることを特徴とする表示装置の表
示方法。
【請求項５】
請求項４に記載の表示装置の表示方法において、
前記エレクトロルミネッセンス素子は、有機エレクトロルミネッセンス素子であること
を特徴とする表示装置の表示方法。
【請求項６】
請求項１〜５のいずれか一つに記載の表示装置の表示方法において、
前記表示装置は、車両用表示装置であって、前記画像データに基づいてメータ画像を表
示することを特徴とする表示装置の表示方法。
【発明の詳細な説明】
【技術分野】
【０００１】
本発明は、表示装置の表示方法に関する。
【背景技術】
【０００２】
従来より、画素に形成される発光素子を有機エレクトロルミネッセンス素子（以下、「
有機ＥＬ素子」という）で形成した有機エレクトロルミネッセンス表示装置（以下、「有
機ＥＬ表示装置」という）がある。この種の有機ＥＬ表示装置は、軽量化、高輝度、高視
野角等の観点から注目されている（特許文献１参照）。
【特許文献１】特開２００４−１２７９２４号公報
【発明の開示】
【発明が解決しようとする課題】
【０００３】
ところで、上記特許文献１に記載されているような従来の有機ＥＬ表示装置では、コン
トラストの高い画像を表示する場合、即ち、隣接する画素間の輝度差が大きい画像を表示
する場合、焼付きが生じてしまうという問題があった。特に、表示する画像が静止画像で
ある場合では、長時間同じパターンの画像を表示するため、焼付きを生じやすく、例えば
、パネル輝度が１００［ｃｄ／ｍ２］の静止画像を表示した場合において、隣接する画素
間の輝度差が１［ｃｄ／ｍ２］以上になると焼付きが視認されてしまう。
【０００４】
本発明は、上記の問題点に鑑みなされたもので、焼付きを抑制することの可能な表示方
法を提供することを目的とする。
【課題を解決するための手段】
【０００５】
本発明の電気光学装置は、基板上に、複数の走査線と複数のデータ線とを形成するとと
もに前記各走査線と前記各データ線との交差に対応した位置に発光素子を含む複数個の画
素をマトリクス状に配置して画素形成領域を形成し、画像データに基づいて前記画素形成
領域内の各画素を適宜駆動させて画像を表示するようにした表示装置の表示方法であって
、前記画像の表示エリアを、前記画素形成領域の範囲内で、予め定めた表示時間ごとに遷
移させ、その遷移した表示エリアに前記画像を表示するようにした。
【０００６】
これによれば、表示エリア内に表示される画像は、予め定めた表示時間毎にずれて表示
されるので、隣接した発光素子の輝度差の平均値は小さくなる。この結果、表示画像の焼
付きが抑制される。
【０００７】
この表示装置の表示方法において、前記画像は、静止画像を含んでいてもよい。
これによれば、静止画像による焼付きを抑制することができる。
この表示装置の表示方法において、前記画像の表示エリアは、前記走査線方向及びデー
タ線方向に沿って所定ピッチずつずらして表示するようにしてもよい。
【０００８】
これによれば、画像を、表示エリアに対して左右方向及び上下方向に所定ピッチずつ繰
り返し往復させることで隣接した発光素子の輝度差の平均値を小さくすることができる。
この結果、焼付きを抑制することができる。
【０００９】
この表示装置の表示方法において、前記発光素子は、エレクトロルミネッセンス素子で
あってもよい。
これによれば、エレクトロルミネッセンス素子で構成された表示装置において、表示エ
リアに表示される画像の焼付きを抑制することができる。
【００１０】
この表示装置の表示方法において、前記エレクトロルミネッセンス素子は、有機エレク
トロルミネッセンス素子であってもよい。
これによれば、有機エレクトロルミネッセンス素子で構成された表示装置において、表
示エリアに表示される画像の焼付きを抑制することができる。
【００１１】
この表示装置の表示方法において、前記表示装置は、車両用表示装置であって、前記画
像データに基づいてメータ画像を表示してもよい。
これによれば、メータ画像の表示による焼付きを抑制することができる。
【発明を実施するための最良の形態】
【００１２】
以下、本発明の表示装置を車載用表示装置に具体化した一実施形態を、図面に従って説
明する。
図１に示すように、本実施形態の車両用表示装置（単に「表示装置」という）１は、車
両ＣのインストルメントパネルＱｗに搭載されている。表示装置１は、その表示ユニット
２に車両Ｃの車速を表すメータ画像としてのスピードメータ画像Ｇを表示するフルカラー
表示可能な表示装置である。
【００１３】
図２は、表示ユニット２に表示されるスピードメータ画像Ｇの一表示態様を示す。図２
において、スピードメータ画像Ｇは、「０」、「２０」、「４０」、…、「１６０」の車
両Ｃの車速を示す数値Ｍａが所定の間隔で表示される。また、各数値Ｍａに囲まれる位置
に指針Ｍｂが表示される。指針Ｍｂは、その時々の車両Ｃの車速に応じて、その基端部Ｍ
ｃを回動中心に回動表示されてその時々の車速を指標するようになっている。
【００１４】
図３は、表示装置１の電気的構成を説明するための図である。図３に示すように、表示
装置１は、表示ユニット２と制御ユニット３とを備えている。表示ユニット２は、基板４
ａ上に略四角形状を成した画素形成領域Ｚを備えている。基板４ａ上であって、画素形成
領域Ｚ以外の領域（非画素形成領域）には、一対の走査線駆動回路５等が形成されている
。
【００１５】
画素形成領域Ｚには、図４に示すように、一方向に沿って延設された走査線ＬＹ１，Ｌ
Ｙ２，・・・，ＬＹｎと、各走査線ＬＹ１〜ＬＹｎに直交するようにデータ線ＬＸ１，Ｌ
Ｘ２，・・・，ＬＸｍ−１，ＬＸｍが設けられている。また、各走査線ＬＹ１〜ＬＹｎと
各データ線ＬＸ１〜ＬＸｍの交差に対応した位置には、それぞれ赤、緑及び青用画素８Ｒ
，８Ｇ，８Ｂが形成されている。
【００１６】
また、画素形成領域Ｚには、データ線ＬＸ１〜ＬＸｍと並行にｍ本の電源線Ｌｏが延設
されている。データ線ＬＸ１，ＬＸ４，・・・に平行に延設された電源線Ｌｏは、赤用画
素８Ｒに接続され、データ線ＬＸ２，・・・，ＬＸｍ−１に平行に延設された電源線Ｌｏ
は、緑用画素８Ｇに接続され、データ線ＬＸ３，・・・，ＬＸｍに平行に延設された電源
線Ｌｏは、青用画素８Ｂに接続されている。
【００１７】
図５に示すように、赤用画素８Ｒは、赤用有機ＥＬ素子９Ｒ、スイッチング素子Ｓｗ、
保持キャパシタＣｏ及び駆動トランジスタＱｄを備えている。赤用有機ＥＬ素子９Ｒは、
その発光層（図示略）が有機材料で構成された有機エレクトロルミネッセンス素子であっ
て、本実施形態では、発光層がポリフルオレン系やポリフェニレンビレニン系の公知の有
機発光材料で構成されている。
【００１８】
スイッチング素子Ｓｗは、例えば、導電型がＮ型のトランジスタであって、ゲートは対
応する位置に延設された走査線ＬＹ１，ＬＹ２，…に接続され、ドレインは対応する位置
に延設されたデータ線ＬＸ１，ＬＸ４，…に接続され、ソースは保持キャパシタＣｏの一
方の電極に接続されている。また、保持キャパシタＣｏは、その一方の電極に駆動トラン
ジスタＱｄのゲートが、また、他方の電極に電源線Ｌｏが接続されている。尚、図５に示
すように、緑用画素８Ｇ及び青色用画素８Ｂの回路構成は、赤用画素８Ｒと同じであるの
で、緑用画素８Ｇ及び青用画素８Ｂについては、符号を同じにしてその詳細な説明を省略
する。
【００１９】
そして、図４に示すように、各赤、緑及び青用画素８Ｒ，８Ｇ，８Ｂは、各走査線ＬＹ
１〜ＬＹｎに沿って、赤用画素８Ｒ→緑用画素８Ｇ→青用画素８Ｂ→赤用画素８Ｒ→…→
青用画素８Ｂの順に配設されている。また、データ線ＬＸ１〜ＬＸｍに沿っては、同色の
色が配設されている。そして、隣接して配置された赤用画素８Ｒ、緑用画素８Ｇ及び青用
画素８Ｂで一つのカラー画素８を構成している。尚、本実施形態のカラー画素８のサイズ
は、０．２ｍｍ×０．２ｍｍである。
【００２０】
また、図３に示すように、走査線駆動回路５は、画素形成領域Ｚを挟み込むようにして
前記非画素形成領域上に左右一対ずつ形成されている。図４に示すように、各走査線駆動
回路５は、走査線ＬＹ1〜ＬＹnに接続され、走査線ＬＹ1〜ＬＹnに走査信号ＳＣ1，ＳＣ2
，ＳＣ3，…ＳＣnを同期して出力することで、カラー画素８を１行毎に選択する。例えば
、走査線ＬＹ1〜ＬＹnを、第１の走査線ＬＹ1→第２の走査線ＬＹ2→第３の走査線ＬＹ3
→…→第ｎの走査線ＬＹn→第１の走査線ＬＹ1→…の順に走査信号ＳＣ1〜ＳＣnを出力す
ることで、各行のカラー画素８を線順次選択する。
【００２１】
また、図３に示すように、基板４ａの一側には、フレキシブルプリント回路基板４ｂが
設けられている。フレキシブルプリント回路基板４ｂには、データ線駆動回路１１が実装
されている。データ線駆動回路１１は、図４に示すように、その内部に各データ線ＬＸ1
〜ＬＸmに対応したｍ個のデジタル・アナログ変換回路Ｄ１，Ｄ２，Ｄ３，…，Ｄｍを備
えている。各デジタル・アナログ変換回路Ｄ１〜Ｄｍは、公知のデジタル・アナログ変換
回路であって、制御ユニット３から出力される画像データＧＤを、基準電圧Ｖkに応じた
大きさのデータ信号に変換し、対応するデータ線ＬＸ1〜ＬＸmに出力する。
【００２２】
本実施形態では、図２に示すように、スピードメータ画像Ｇの表示エリアＲは、表示ユ
ニット２の画素形成領域Ｚをより小さくなる設定されている。つまり、図６（ａ）〜（ｄ
）及び図７（ａ）〜（ｄ）に示すように、画素形成領域Ｚ内において、表示エリアＲを遷
移させて、スピードメータ画像Ｇを欠けることなく表示させることを可能にしている。詳
述すると、表示ユニット２の焼付き防止のために、画素形成領域Ｚ内においてスピードメ
ータ画像Ｇを移動可能に表示するようになっている。
【００２３】
図３に示すように、制御ユニット３は、ロジック系電源回路２１、パネル用電源回路２
２、基準電圧生成回路２３、パネル制御回路２４及び画像処理回路２５を備え、ユニット
基板３Ｓ上に実装されている。
【００２４】
ロジック系電源回路２１、パネル用電源回路２２及び基準電圧生成回路２３は、図示し
ない外部電源回路から供給される電源Ｅｏに基づいて表示ユニット２に設けられた各駆動
回路５，１１及びカラー画素８等を駆動させるための各種電源電圧を生成するための回路
である。ロジック系電源回路２１は、例えば、前記電源Ｅｏに基づいて電源電圧Ｖｓを生
成し、走査線駆動回路５及びデータ線駆動回路１１に出力する。パネル用電源回路２２は
、前記電源Ｅｏに基づいて電源電圧Ｖｏを生成し、各電源線Ｌｏを介して各画素８Ｒ，８
Ｇ，８Ｂに出力する。基準電圧生成回路２３は、データ線駆動回路１１から出力されるデ
ータ信号の基準値を与える基準電圧Ｖｋを電源Ｅｏに基づいて生成し、前記各デジタル・
アナログ変換回路Ｄ１〜Ｄｍに出力する。
【００２５】
パネル制御回路２４は、外部から供給される図示しないクロック信号ＣＬＫに基づいて
走査線駆動回路５やデータ線駆動回路１１の同期制御を行うためのタイミング信号Ｔａ，
Ｔｂを生成し、各駆動回路５，１１へ出力する。
【００２６】
画像処理回路２５は、データメモリ２５ａ及びカウントメモリ２５ｂを内蔵している。
画像処理回路２５は、図示しない外部画像生成回路から出力されるスピードメータ画像Ｇ
を表示するための１フレームの画像データＧＤを順次入力するとともに、その入力した１
フレー分の各画像データＧＤをデータメモリ２５ａに記憶するようになっている。
【００２７】
１フレームの画像データＧＤは、表示エリアＲにおける各カラー画素８に対する画素デ
ータの集合であって、その各カラー画素８の画素データは、カラー画素８を構成するそれ
ぞれ赤用、緑用及び青色用画素８Ｒ，８Ｇ，８Ｂの有機ＥＬ素子９Ｒ，９Ｇ，９Ｂの発光
輝度をそれぞれ決定する輝度データから構成されている。
【００２８】
そして、１フレーム分の画像データＧＤの画像処理回路２５への転送は、本実施形態で
は、線順次で各行のカラー画素８を順番に駆動するため、図４において選択される行の順
であって、各行において左から右の順にカラー画素８の画素データが、画像処理回路２５
に順番に入力され、データメモリ２５ａに記憶される。
【００２９】
画像処理回路２５は、１フレーム分の画像データＧＤを入力するとき、予め定められた
順番に入力される画像データＧＤを構成する各カラー画素８の画素データがカウントメモ
リ２５ｂによってカウントするようになっている。そして、画像処理回路２５は、１フレ
ーム分の画像データＧＤについて、各カラー画素８の画素データがそれぞれ特定できるよ
うに所定のアドレスを割り当てて、データメモリ２５ａに記憶する。
【００３０】
また、画像処理回路２５は、データメモリ２５ａに記憶した各フレームの画像データＧ
Ｄに基づいて、表示される画像中に静止画像を含む部分（静止画エリア）あるか否かを判
断する。これは、例えば、データメモリ２５ａに記憶した複数枚のフレームの画像データ
ＧＤを用い、その各画像データＧＤの対応するカラー画素同士の画素データを比較し、画
像データの内容（発光輝度）がそれぞれ同じかどうかによって判断する。そして、画像デ
ータの内容が同じであるならば、そのカラー画素８は、静止画を表示するカラー画素８と
判断する。つまり、各フレームの画像データＧＤを用いて順次で表示される画像中に、有
機ＥＬ素子９Ｒ，９Ｇ，９Ｂの発光輝度が変化しないカラー画素８がある判断する。
【００３１】
そして、画像処理回路２５は、静止画を表示するカラー画素８がある場合、そのスピー
ドメータ画像Ｇを表示するための画像データＧＤを１フレーム毎に、先の１フレームのス
ピードメータ画像Ｇの表示エリアＲと、前記画素形成領域Ｚ内で異なる位置に表示エリア
Ｒを遷移させ１フレーム分のスピードメータ画像Ｇを表示させる。そのため、画像処理回
路２５は、先の１フレーム分の画像データＧＤと異なったタイミングでデータ線駆動回路
１１に出力して、その表示エリアＲを１フレーム毎に異なった位置にずらしてスピードメ
ータ画像Ｇを表示させることとなる。
【００３２】
このとき、本実施形態では、画像処理回路２５は、１フレームのスピードメータ画像Ｇ
毎に、走査線方向又はデータ線方向に沿って１カラー画素分ずらすように表示する。詳述
すると、図６（ａ）に示すように、画像処理回路２５は、まず、画素形成領域Ｚの中央に
スピードメータ画像Ｇを表示する。尚、スピードメータ画像Ｇが画素形成領域Ｚの中央に
表示される表示エリアＲの表示位置を「ホームポジション」という。
【００３３】
次に、８フレーム分（１番目〜８番目）のスピードメータ画像Ｇについて、「ホームポ
ジション」を基準に走査線に沿っての右方向に向かって１フレーム毎に１カラー画素ずつ
その表示エリアＲをずらし、そのずらした表示エリアＲにスピードメータ画像Ｇを順次表
示させる。この時、本実施形態のカラー画素８のサイズは、０．２ｍｍ×０．２ｍｍであ
ることから、スピードメータ画像Ｇは、「ホームポジション」から１フレームに０．２ｍ
ｍずつ８フレーム分右側にずれながら表示される。つまり、図６（ｂ）に示すように、８
番目のフレームのスピードメータ画像Ｇは、「ホームポジション」のスピードメータ画像
Ｇに対して、０．２ｍｍ×８フレーム＝１．６ｍｍ（＝Ｄａ）だけ右方向にずれた位置に
表示される。
【００３４】
図６（ｂ）に示すように、８番目のフレームのスピードメータ画像Ｇが表示されると、
次に、１６フレーム分（９番目〜２４番目）のスピードメータ画像Ｇについて、走査線方
向に沿って左方向に向かって１フレーム毎に１カラー画素ずつその表示エリアＲをずらし
、そのずらした表示エリアＲにスピードメータ画像Ｇを順次表示させる。そして、図６（
ｃ）に示すように、スピードメータ画像Ｇは、「ホームポジション」を経由して、２４番
目のフレームのスピードメータ画像Ｇは、図６（ｄ）に示すように、「ホームポジション
」のスピードメータ画像Ｇに対して、０．２ｍｍ×８フレーム＝１．６ｍｍ（＝Ｄａ）だ
け左方向にずれた位置に表示される。
【００３５】
そして、図６（ｄ）に示すように、２４番目のフレームのスピードメータ画像Ｇが表示
されると、次に、８フレーム分（２５番目〜３２番目）のスピードメータ画像Ｇについて
、走査線方向に沿って右方向に向かって１フレーム毎に１カラー画素８ずつその表示エリ
アＲをずらし、そのずらした表示エリアＲにスピードメータ画像Ｇを順次表示させる。つ
まり、スピードメータ画像Ｇを、ホームポジションに戻す（図７（ａ）参照）。
【００３６】
次に、８フレーム分（３３番目〜４０番目）のスピードメータ画像Ｇについて、「ホー
ムポジション」を基準にデータ線方向に沿って上方向に向かって１フレーム毎に１カラー
画素ずつその表示エリアＲをずらし、そのずらした表示エリアＲにスピードメータ画像Ｇ
を順次表示させる。この時、本実施形態のカラー画素８のサイズは、０．２ｍｍ×０．２
ｍｍであることから、スピードメータ画像Ｇは、「ホームポジション」から１フレームに
０．２ｍｍずつ８フレーム分上側にずれながら表示される。つまり、図７（ｂ）に示すよ
うに、４０番目のフレームのスピードメータ画像Ｇは、「ホームポジション」のスピード
メータ画像Ｇに対して、０．２ｍｍ×８フレーム＝１．６ｍｍ（＝Ｄａ）だけ上方向にず
れた位置に表示される。
【００３７】
図７（ｂ）に示すように、４０番目のフレームのスピードメータ画像Ｇが表示されると
、次に、１６フレーム分（４１番目〜５６番目）のスピードメータ画像Ｇについて、デー
タ線方向に沿って下方向に向かって１フレーム毎に１カラー画素ずつその表示エリアＲを
ずらし、そのずらした表示エリアＲにスピードメータ画像Ｇを順次表示させる。そして、
図７（ｃ）に示すように、スピードメータ画像Ｇは、「ホームポジション」を経由して、
５６番目のフレームのスピードメータ画像Ｇは、図７（ｄ）に示すように、「ホームポジ
ション」のスピードメータ画像Ｇに対して、０．２ｍｍ×８フレーム＝１．６ｍｍ（＝Ｄ
ａ）だけ下方向にずれた位置に表示される。
【００３８】
そして、図７（ｄ）に示すように、５６番目のフレームのスピードメータ画像Ｇが表示
されると、次に、８フレーム分（５７番目〜６４番目）のスピードメータ画像Ｇについて
、データ線方向に沿って上方向に向かって１フレーム毎に１カラー画素８ずつその表示エ
リアＲをずらし、そのずらした表示エリアＲにスピードメータ画像Ｇを順次表示させる。
つまり、スピードメータ画像Ｇを、ホームポジションに戻す（図６（ａ）参照）。
【００３９】
以後、静止画像が続く限り、上記動作を繰り返し、表示エリアＲを遷移させてスピード
メータ画像Ｇを表示する。
次に、前述した表示装置１の作用について図８及び図９に従って説明する。以下、説明
の便宜上、図８（ａ）に示すように、表示エリアＲ内に表示されるスピードメータ画像Ｇ
の数値Ｍａのうち、「１００」を表示するためのカラー画素８について説明する。
【００４０】
図８（ｂ）は、数値「１００」を表示するカラー画素８のうち、図８（ａ）中、斜線で
示された領域Ｑに配置された画素８群を示している。図８（ｂ）中、発光しているカラー
画素８を白抜きで、消灯しているカラー画素８を斜線で示している。そして、以下の説明
では、領域Ｑに配置されたカラー画素８のうち、符号「８ａ」及び「８ｂ」で示すカラー
画素８に着目する。そして、スピードメータ画像Ｇがホームポジションにて表示された状
態では、カラー画素８ａは消灯し、カラー画素８ｂは発光している。
【００４１】
そして、前述したように、スピードメータ画像Ｇを表示する表示エリアＲが、ホームポ
ジションにて１フレーム表示後、右側に１カラー画素８だけずれて表示されると、図９（
ａ）に示すように、カラー画素８ａは消灯するとともにカラー画素８ｂは発光し続ける。
その後、スピードメータ画像Ｇを表示する表示エリアＲが、順次右側にずれて表示される
ことで、カラー画素８ａ，８ｂはともに消灯する。
【００４２】
また、ホームポジションに戻って表示された後、図９（ｂ）に示すように、スピードメ
ータ画像Ｇを表示する表示エリアＲが、左側に１カラー画素８だけずれて表示されると、
カラー画素８ａは発光し続けるとともにカラー画素８ｂは消灯する。その後、スピードメ
ータ画像Ｇを表示する表示エリアＲが、順次左側にずれて表示されることで、カラー画素
８ａ，８ｂはともに消灯する。
【００４３】
以降、同様に、図９（ｃ）に示すように、スピードメータ画像Ｇを表示する表示エリア
Ｒが、ホームポジションから上側に１カラー画素８だけずれて表示されると、カラー画素
８ａは発光し続けるとともにカラー画素８ｂは消灯する。その後スピードメータ画像Ｇを
表示する表示エリアＲが、順次上側にずれて表示されることで、カラー画素８ａ，８ｂは
ともに消灯する。また、その後、ホームポジションに戻って表示された後、図９（ｄ）に
示すように、スピードメータ画像Ｇを表示する表示エリアＲが、ホームポジションから下
側に１カラー画素８だけずれて表示されると、カラー画素８ａ，８ｂはともに発光し続け
る。その後、スピードメータ画像Ｇを表示する表示エリアＲが、順次下側にずれて表示さ
れることで、カラー画素８ａ，８ｂは継続してともに発光する。
【００４４】
従って、カラー画素８ａ，８ｂは、画素形成領域Ｚ内において表示エリアＲの上下左右
方向への遷移に伴って１フレーム毎に点灯または消灯する。このとき、カラー画素８ａ，
８ｂの周囲に配置されたカラー画素８群も、カラー画素８ａ，８ｂの点灯または消灯に伴
って１フレーム分ずれて点灯及び消灯することから、カラー画素８ａ，８ｂとその周囲の
カラー画素８群との所定時間内における輝度差の平均値は小さくなる。
【００４５】
上記したように、本実施形態によれば、以下の効果を奏する。
（１）本実施形態によれば、スピードメータ画像Ｇを１フレーム毎に表示位置（表示エリ
アＲ）をずらして表示するようにした。従って、スピードメータ画像Ｇを構成する数値Ｍ
ａ、指針Ｍｂ及びその基端部Ｍｃの表示に発光することで寄与するカラー画素８の位置は
、その周囲のカラー画素８群との所定時間内における輝度差の平均値は小さくなる。この
結果、スピードメータ画像Ｇの焼付きを抑制することができる。
（２）本実施形態によれば、スピードメータ画像Ｇを、１フレーム毎に１カラー画素８ず
つ、走査線ＬＹ１〜ＬＹｎ方向及びデータ線方向に沿ってずらして表示するようにした。
また、８個のカラー画素８分だけずらした後に、再び元の位置に至るまで１フレーム毎に
１カラー画素８ずつずらして表示するようにした。従って、スピードメータ画像Ｇは、徐
々にずれることから、運転者には、そのスピードメータ画像Ｇのずれが視認されない。こ
の結果、運転者に対して違和感を与えずにスピードメータ画像Ｇを移動させることができ
る。
（３）本実施形態によれば、赤用画素８Ｒ、緑用画素８Ｇ及び青用画素８Ｂを一組として
カラー画素８を構成した。そして、スピードメータ画像Ｇを、１フレーム毎に１カラー画
素８ずつ、ずらして表示するようにした。従って、フルカラー表示が可能な表示装置にお
ける画像の焼付きを抑制することができる。
（４）本実施形態によれば、有機ＥＬ素子９Ｒ，９Ｇ，９Ｂによって赤用画素８Ｒ、緑用
画素８Ｇ及び青用画素８Ｂを発光するようにした。従って、表示装置１を軽量化でき、且
つ、表示されるスピードメータ画像Ｇを高輝度、高視野角で表示させることができる。
【００４６】
尚、この発明は以下のように変更して具体化することもできる。
・上記実施形態では、画像処理回路２５は、表示される画像中に静止画像を含む部分（
静止画エリア）あるか否かを判断するようにしていたが、本発明はこれに限定されない。
予め表示される画像が静止画像であると設定することによって画像処理回路２５の処理を
簡素化してもよい。
【００４７】
・上記実施形態では、スピードメータ画像Ｇを、１フレーム毎に、走査線ＬＹ１〜ＬＹ
ｎ方向及びデータ線ＬＸ１〜ＬＸｍ方向に沿って１カラー画素８ずつずらして表示するよ
うにしたが、本発明はこれに限定されない。たとえば、１フレーム毎に、走査線ＬＹ１〜
ＬＹｎ方向及びデータ線ＬＸ１〜ＬＸｍ方向に沿って２〜３個のカラー画素８ずつずらし
て表示するようにしてもよい。要は、運転者からみて違和感を与えない程度の範囲でスピ
ードメータ画像Ｇをずらして表示するようにすればよい。
【００４８】
・上記実施形態では、スピードメータ画像Ｇを、１フレーム毎にずらして表示するよう
にしたが、本発明はこれに限定されない。たとえば、２〜３フレーム毎にずらして表示す
るようにしてもよい。要は、運転者からみて違和感を与えない程度の範囲でスピードメー
タ画像Ｇをずらして表示するようにすればよい。
【００４９】
・上記実施形態では、スピードメータ画像Ｇを、走査線ＬＹ１〜ＬＹｎ方向及びデータ
線ＬＸ１〜ＬＸｍ方向に沿ってずらして表示するようにしたが、本発明はこれに限定され
ない。たとえば、走査線方向に対して斜めの方向、即ち、画素形成領域Ｚの対角線上に沿
ってずらして表示するようにしてもよい。要は、運転者からみて違和感を与えない程度の
範囲でスピードメータ画像Ｇをずらして表示するようにすればよい。
【００５０】
・上記実施形態では、電気光学素子として有機ＥＬ素子９Ｒ，９Ｇ，９Ｂを使用したが
、本発明はこれに限定されるものではなく、他の形態を成した発光素子であってもよい。
たとえば、発光ダイオードであってもよい。
【００５１】
・上記実施形態では、表示エリアＲに表示される画像は、スピードメータ画像Ｇであっ
たが、本発明はこれに限定されない。例えば、カーナビゲーションの表示画像であっても
よい。
【図面の簡単な説明】
【００５２】
【図１】表示装置が搭載された車両のインストルメントパネルの斜視図。
【図２】スピードメータ画像の表示形態を示す模式図。
【図３】表示装置の電気的構成を示す図。
【図４】表示ユニットの電気的構成を示す図。
【図５】画素の電気的構成を示す図。
【図６】（ａ）〜（ｄ）は、それぞれ、スピードメータ画像が表示される表示エリアの表示方法を説明するための図。
【図７】同じく、（ａ）〜（ｄ）は、それぞれ、スピードメータ画像が表示される表示エリアの表示方法を説明するための図。
【図８】（ａ）及び（ｂ）は、それぞれ、表示装置の作用を説明するための図。
【図９】同じく、（ａ）〜（ｄ）は、それぞれ、表示装置の作用を説明するための図。
【符号の説明】
【００５３】
Ｇ…メータ画像としてのスピードメータ画像、ＬＸ１〜ＬＸｍ…データ線、ＬＹ１〜Ｌ
Ｙｎ…走査線、Ｒ…表示エリア、１…表示装置及び車両用表示装置、４ａ…基板、８…画
素としてのカラー画素、９Ｒ，９Ｇ，９Ｂ…発光素子及びエレクトロルミネッセンス素子
としての有機エレクトロルミネッセンス素子。
【図１】
2007279105.tif 000003
【図２】
2007279105.tif 000004
【図３】
2007279105.tif 000005
【図４】
2007279105.tif 000006
【図５】
2007279105.tif 000007
【図６】
2007279105.tif 000008
【図７】
2007279105.tif 000009
【図８】
2007279105.tif 000010
【図９】
2007279105.tif 000011